(57)【要約】  【課題】金属製の筐体と高熱伝導樹脂のインナーとを一体成形することにより、効率よく放熱することができる。  【解決手段】アルミニウム合金の板材をプレス加工することにより形成された金属筐体１１の内側にインサート成形等により高熱伝導樹脂のインナー１２を一体成形する。インナー１２は、板バネ１２ｂ、１２ｃを有し、枠１０にレンズユニット２１を取り付けると、撮像素子保持板金２１ｂが板バネ１２ｂと接触し、その結果、撮像素子２１ａで発生した熱が撮像素子保持板金２１ｂを介して板バネ１２ｂに伝わる。基板２２を前枠１０に取り付けると、板バネ１２ｃがＩＣ２２ａと接触し、その結果、ＩＣ２２ａで発生した熱が板バネ１２ｃに伝わる。板バネ１２ｂ、１２ｃに伝えられた熱がインナー１２の内部を伝わって金属筐体１１に伝わり、金属筐体１１の表面から空気中に放熱される。【選択図】  図１
2010141133.tif 000002
【特許請求の範囲】
【請求項１】
金属製の金属筐体と、
前記金属筐体に一体成形された高熱伝導性樹脂製のインナーであって、前記金属筐体の内側の面を覆うように形成された本体部と、発熱部品を含む内部構造部材が取り付けられる取付部と、前記取付部に前記内部構造部材を取り付けたときに前記発熱部品と接触するように形成された接触部とが一体として形成されたインナーと、
を備えたことを特徴とする電子機器用筐体。
【請求項２】
前記接触部は弾性部材であり、
前記インナーは、前記取付部に前記内部構造部材が取り付けられると、前記弾性部材が弾性変形した状態で前記発熱部材と接触するように形成されることを特徴とする請求項１に記載の電子機器用筐体。
【請求項３】
前記接触部は、前記本体部に一端が固定され、前記金属筐体及び前記本体部の面と略垂直方向に板状の部材が突出するように形成された板バネであることを特徴とする請求項２に記載の電子機器用筐体。
【請求項４】
前記内部構造部材は、屈曲光学系を備えたレンズユニットであり、
前記発熱部品は、前記レンズユニットの底面に設けられた撮像素子であり、
前記取付部を介して前記インナーに前記レンズユニットが取り付けられると、前記撮像素子が前記レンズユニットの枠体を介して前記板バネに接触することを特徴とする請求項３に記載の電子機器用筐体。
【請求項５】
前記接触部は、前記本体部に一端が固定され、先端側が板バネとして作用する略Ｌ字状の部材であり、前記板バネは前記金属筐体及び前記本体部の面と略水平に形成されたことを特徴とする請求項２に記載の電子機器用筐体。
【請求項６】
前記内部構造部材は、基板であり、
前記発熱部品は、前記基板に実装された電子部品であり、
前記取付部を介して前記インナーに前記基板が取り付けられると、前記電子部品が前記板バネに接触することを特徴とする請求項５に記載の電子機器用筐体。
【請求項７】
前記金属筐体は、金属の板材をプレス加工することにより形成されたことを特徴とする請求項１から６のいずれかに記載の電子機器用筐体。
【請求項８】
前記インナーは、前記筐体の表面に露出するように形成され、
前記前枠の表面に露出するように形成されたインナーは、把持部として利用されることを特徴とする請求項７に記載の電子機器用筐体。
【請求項９】
前記金属筐体は、押出し成形により形成された断面が略矩形形状の筒状の部材であり、
前記インナーには、前記取付部として前記金属筐体の押出し方向に沿ったリブが形成されたことを特徴とする請求項１から６のいずれかに記載の電子機器用筐体。
【請求項１０】
前記金属筐体はアルミニウム製であることを特徴とする請求項１から９のいずれかに記載の電子機器用筐体。
【発明の詳細な説明】
【技術分野】
【０００１】
本発明は電子機器用筐体に係り、特に効率よく放熱が可能な電子機器用筐体に関する。
【背景技術】
【０００２】
特許文献１には、発熱する回路素子が実装された基板を熱伝導性のよい基板固定部材及びカバー部材を介して熱伝導性のよいケースに取り付けることで、空気による冷却のみでなく、熱伝導によっても放熱を行う冷却装置が記載されている。
【０００３】
特許文献２には、金属挿入板と連結バーにて連結した放熱フィンが相対する２つのパッケージ外側面から水平に延出した高放熱性の固体撮像素子装着用樹脂性中空パッケージが記載されている。
【特許文献１】特開２００３−１６３４７７号公報
【特許文献２】特開２００４−１４６５３０号公報
【発明の開示】
【発明が解決しようとする課題】
【０００４】
特許文献１に記載の発明は、ネジ、カシメ、嵌合などにより各部品を結合しているが、各部品間には隙間ができてしまい、熱伝導ロスが発生するという問題がある。
【０００５】
すなわち、図１１に示すように、金属部材と樹脂部材とが別部品の場合には、見ためは接触しているようであるが、金属部材と樹脂部材との間に空気層が入るのが避けられず、熱伝導性が良くない。なお、特許文献１には、隙間を熱伝導シートや熱伝導性のよいグリスなどにより充填することが記載されているが、熱伝導ロスが発生するのを回避できるわけではない。
【０００６】
また、図１１に示すように、金属部材と樹脂部材がそれぞれ別部品の場合には、金属部材と樹脂部材とを接着剤や両面接着テープ等で固定することとなるが、これらが断熱部材となってしまい、熱伝導性が良いといえない。
【０００７】
また、特許文献２に記載の発明は、放熱フィンにより放熱を行うものであり、ケース自体が放熱の役割を果たすものではない。
【０００８】
本発明はこのような事情に鑑みてなされたもので、金属製の筐体と高熱伝導樹脂のインナーとを一体成形することにより、効率よく放熱することができる電子機器用筐体を提供することを目的とする。
【課題を解決するための手段】
【０００９】
前記目的を達成するために、請求項１に記載の電子機器用筐体は、金属製の金属筐体と、前記金属筐体に一体成形された高熱伝導性樹脂製のインナーであって、発熱部品を含む内部構造部材が取り付けられる取付部と、前記取付部に前記内部構造部材を取り付けたときに前記発熱部品と接触するように形成された接触部とが形成されたインナーと、を備えたことを特徴とする。
【００１０】
請求項１に記載の電子機器用筐体によれば、金属製の金属筐体の内側の面を覆うように高熱伝導性樹脂製のインナーが一体成形される。インナーには発熱部品を含む内部構造部材が取り付けられ、内部構造部材を取り付けたときに発熱部品とインナーとが接触する。これにより、金属部材と樹脂部材との間に空気などが入ること無く、金属部材と樹脂部材との接触面積が確保できるため、金属部材と樹脂部材との間で発生する放熱のロスをなくし、放熱効率のよい筐体を提供することができる。また、金属の外観面にはアルマイト、ヘアライン、電解研磨、塗装などの装飾を施し、樹脂の内面にはボスや板バネ等の変形部材を形成するなど、金属と樹脂の両方の特徴を生かした筐体を提供できる。
【００１１】
請求項２に記載の電子機器用筐体は、請求項１に記載の電子機器用筐体において、前記接触部は弾性部材であり、前記インナーは、前記取付部に前記内部構造部材が取り付けられると、前記弾性部材が弾性変形した状態で前記発熱部品と接触するように形成されることを特徴とする。
【００１２】
請求項２に記載の電子機器用筐体によれば、取付部に内部構造部材が取り付けられると、弾性部材である接触部が弾性変形した状態で発熱部品と接触する。これにより、弾性部材による付勢力をもって発熱部品とインナーとが接触するため、発熱部品で発生した熱をインナーが確実に奪うことができる。
【００１３】
請求項３に記載の電子機器用筐体は、請求項２に記載の電子機器用筐体において、前記接触部は、前記本体部に一端が固定され、前記金属筐体及び前記本体部の面と略垂直方向に板状の部材が突出するように形成された板バネであることを特徴とする。
【００１４】
請求項３に記載の電子機器用筐体によれば、本体部に一端が固定され、金属筐体及び本体部の面と略垂直方向に突出するように形成された板状の部材が板バネとして作用し発熱部品と接触する。これにより、板バネが発熱部品で発生した熱を確実に奪うことができる。
【００１５】
請求項４に記載の電子機器用筐体は、請求項３に記載の電子機器用筐体において、前記内部構造部材は、屈曲光学系を備えたレンズユニットであり、前記発熱部品は、前記レンズユニットの底面に設けられた撮像素子であり、前記取付部を介して前記インナーに前記レンズユニットが取り付けられると、前記撮像素子が前記レンズユニットの枠体を介して前記板バネに接触することを特徴とする。
【００１６】
請求項４に記載の電子機器用筐体によれば、インナーにレンズユニットが取り付けられると、発熱部品である撮像素子がレンズユニットの枠体を介して板バネに接触する。これにより、板バネが撮像素子で発生した熱を確実に奪うことができる。
【００１７】
請求項５に記載の電子機器用筐体は、請求項２に記載の電子機器用筐体において、前記接触部は、前記本体部に一端が固定され、先端側が板バネとして作用する略Ｌ字状の部材であり、前記板バネは前記金属筐体及び前記本体部の面と略水平に形成されたことを特徴とする。
【００１８】
請求項５に記載の電子機器用筐体によれば、本体部に一端が固定され、金属筐体及び本体部の面と略水平に形成された先端側が板バネとして作用する略Ｌ字状の部材が発熱部品と接触する。これにより、板バネが発熱部品で発生した熱を確実に奪うことができる。
【００１９】
請求項６に記載の電子機器用筐体は、請求項５に記載の電子機器用筐体において、前記内部構造部材は、基板であり、前記発熱部品は、前記基板に実装された電子部品であり、前記取付部を介して前記インナーに前記基板が取り付けられると、前記電子部品が前記板バネに接触することを特徴とする。
【００２０】
請求項６に記載の電子機器用筐体によれば、インナーに基板が取り付けられると、発熱部品である電子部品が板バネとして形成された略Ｌ字状の部材の先端側に接触する。これにより、略Ｌ字状の部材が電子部品で発生した熱を確実に奪うことができる。
【００２１】
請求項７に記載の電子機器用筐体は、請求項１から６のいずれかに記載の電子機器用筐体において、前記金属筐体は、金属の板材をプレス加工することにより形成されたことを特徴とする。
【００２２】
請求項７に記載の電子機器用筐体によれば、金属の板材をプレス加工することにより形成された金属筐体にインナーを一体成形する。この場合には、中空筐体の場合よりインナーの一体成形が容易である。
【００２３】
請求項８に記載の電子機器用筐体は、請求項７に記載の電子機器用筐体において、前記インナーは、前記筐体の表面に露出するように形成され、前記前枠の表面に露出するように形成されたインナーは、把持部として利用されることを特徴とする。
【００２４】
請求項８に記載の電子機器用筐体によれば、把持部として利用される部分は、インナーが表面に露出するように形成される。これにより、高熱伝導樹脂から輻射により直接外気に放熱可能となる。
【００２５】
請求項９に記載の電子機器用筐体は、請求項１から６のいずれかに記載の電子機器用筐体において、前記金属筐体は、押出し成形により形成された断面が略矩形形状の筒状の部材であり、前記インナーには、前記取付部として前記金属筐体の押出し方向に沿ったリブが形成されたことを特徴とする。
【００２６】
請求項９に記載の電子機器用筐体によれば、押出し成形により形成された断面が略矩形形状の筒状の部材の内側の面に、押出し方向に沿ったリブを有するインナーが一体成形される。これにより、押出し成形の寸法のバラツキをインナーが吸収し、歩留まりを改善することができる。また、リブが形成されることにより、内部ユニットの組み立てが容易となる。
【００２７】
請求項１０に記載の電子機器用筐体は、請求項１から９のいずれかに記載の電子機器用筐体において、前記金属筐体はアルミニウム製であることを特徴とする。
【００２８】
請求項１０に記載の電子機器用筐体によれば、金属筐体がアルミニウム製であるため、熱伝導率がよく、放熱効率が高い筐体を提供できるとともに、加工性が優れ、金属筐体の加工が容易である。
【発明の効果】
【００２９】
本発明によれば、金属製の筐体と高熱伝導樹脂のインナーとを一体成形することにより、効率よく放熱することができる。
【発明を実施するための最良の形態】
【００３０】
＜第１の実施の形態＞
図１は本発明の第１の実施の形態に係るカメラ１の分解斜視図である。カメラ１は、主として、前ケース１０と、後ケース（図示せず）と、内部構造部材（レンズユニット２１、基板２２など）とで構成される。
【００３１】
前ケース１０は、主として、アルミニウム製の金属筐体１１と、高熱伝導樹脂性のインナー１２とで構成される。
【００３２】
金属筐体１１は、アルミニウム合金の板材をプレス加工することにより形成された略枡形状の部材である。アルミニウムは、熱伝導性がよく、加工性にも優れることより、最も妥当な材料である。金属筐体１１の前面には、プレス加工や機械加工によりレンズ用の孔１１ａと、フラッシュ用の孔１１ｂが形成される。
【００３３】
インナー１２は、金属筐体１１の内側にインサート成形等により一体成形された部材であり、高熱伝導樹脂により形成される。高熱伝導樹脂とは、ＰＣ、ＰＰＳなどの樹脂に金属やセラミックなどの熱伝導性の高い材料を配合して熱伝導率を高めた樹脂である。
【００３４】
インナー１２は、主として、本体部１２ａと、板バネ１２ｂ、１２ｃと、レンズユニット２１を取り付けるためのボス１２ｄと、基板２２を取り付けるためのボスとで構成される。射出成形を用いることで、本体部１２ａ、板バネ１２ｂ、１２ｃ、ボス１２ｄ、１２ｅが一度に成形される。
【００３５】
本体部１２ａは、金属筐体１１の内面を覆うように、かつ孔１１ａ、１１ｂを避けるようにして所定の厚さで形成される。
【００３６】
板バネ１２ｂは、本体部１２ａに一端が固定された板状の部材であり、金属筐体１１及び本体部１２ａの面と垂直方向に突出するように設けられる。板バネ１２ｂは、片持ちの板バネであり、金属筐体１１及び本体部１２ａの面と略平行方向に先端が移動するように弾性変形が可能である。
【００３７】
板バネ１２ｃは、本体部１２ａに一端が固定された略Ｌ字状の部材であり、略Ｌ字状の先端側が片持ちの板バネとして作用する。板バネ１２ｃは、板バネとして作用する先端側が金属筐体１１及び本体部１２ａの面と水平になるように設けられ、金属筐体１１及び本体部１２ａの面と略垂直方向に先端が移動するように弾性変形が可能である。
【００３８】
ボス１２ｄは、レンズユニット２１の位置決めを行うボスであり、２本形成される。この２本のボス１２ｄにレンズユニット２１の位置決め孔（図示せず）を挿入することにより、レンズユニット２１が金属筐体１１及び本体部１２ａの面と平行方向に位置決めされる。また、ボス１２ｄには段が形成され、レンズユニット２１が段に当接することにより、レンズユニット２１が金属筐体１１及び本体部１２ａの面と垂直方向に位置決めされる（図２参照）。
【００３９】
ボス１２ｅは、基板２２の取り付け兼位置決めを行うボスであり、４本形成される。ボス１２ｅにはネジ止め用の下穴が形成されており、セルフタップネジで基板２２の孔（図示せず）と下穴を羅結することにより、基板２２がインナー１２に取り付けられる。本実施の形態では、ボス１２ｅ全てに下穴が形成され、全てのボス１２ｅに対してネジ止めを行ったが、対角線上にある２本に下穴を形成し、他の２本はボス１２ｄのような形状にしても同様の結果が得られる。
【００４０】
このように、樹脂製のインナー１２を金属筐体１１と一体成形することにより、金属と樹脂の特長を生かした外装枠を形成することができる。
【００４１】
すなわち、外観部を金属にすることにより、多様な加飾（アルマイト、ヘアライン、電解研磨、塗装）が使用でき、より高級感をユーザーに訴えることができる。なお、樹脂にもメッキ等の加飾が可能であるが、手で触ったときの高級感は本物の金属のほうが優れている。
【００４２】
また、樹脂のインナー１２を一体成形することにより、電子機器の内部部品の固定するリブやボスなどを形成することができる。例えば、板バネ１２ｂ、１２ｃ等の変形する部位は、ダイキャストでは形成できないが、射出成形であれは形成が可能である。また、金属の場合には、平面に垂直なボスの形成は難しいが、樹脂の射出成形であれば形成が可能である。
【００４３】
また、ダイキャストで生成したボスにネジ穴を設けるには、下穴を空けた後、後加工でネジ溝を切らなければならず、加工工程が増えてしまう。それに対し、樹脂の場合には、タップネジを使ってセルフタップが可能であることにより、下穴さえ形成すればネジ加工は不要であり、コストダウンが可能である。
【００４４】
このように形成された前ケース１０の作用を説明する。図２は、レンズユニット２１を前ケース１０に取り付けたときの要部断面図を示し、図３は基板２２を前ケース１０に取り付けたときの要部断面図を示す。
【００４５】
図２に示すように、レンズユニット２１は、内部に屈曲系の光学レンズと、発熱部品である撮像素子２１ａを含み、撮像素子２１ａはレンズユニット２１の底面に設けられた撮像素子保持板金２１ｂの上に設けられる。
【００４６】
ボス１２ｄでレンズユニット２１を位置決めし、前ケース１０にレンズユニット２１を取り付ける（取り付け部は図示せず）と、撮像素子保持板金２１ｂが板バネ１２ｂと接触する。板バネ１２ｂは可変部位であり、板バネ１２ｂがたわむことにより発生する付勢力でもって板バネ１２ｂが撮像素子保持板金２１ｂに接触する。その結果、撮像素子２１ａで発生した熱が撮像素子保持板金２１ｂを介して板バネ１２ｂに伝わり、その熱がインナー１２の内部を伝わって金属筐体１１に伝わり、金属筐体１１の表面から空気中に放熱される（図２矢印参照）。
【００４７】
基板２２は、発熱部品であるＩＣ２２ａ（図３参照）、フラッシュメモリ２２ｂ、メインコンデンサ２２ｃ等が実装され、ＩＣ２２ａ反対側の面にはメディア、バッテリー収納室２２ｄが設けられている。
【００４８】
図３に示すように、基板２２をボス１２ｅにネジ止めすることにより基板２２を前ケース１０に取り付けると、板バネ１２ｃがＩＣ２２ａと接触する。板バネ１２ｃは可変部位であり、板バネ１２ｃがたわむことにより発生する付勢力でもって板バネ１２ｃがＩＣ２２ａに接触する。その結果、ＩＣ２２ａで発生した熱が板バネ１２ｃに伝わり、その熱がインナー１２の内部を伝わって金属筐体１１に伝わり、金属筐体１１の表面から空気中に放熱される（図３矢印参照）。
【００４９】
このように、可変部位である板バネを用いることで、高熱伝導樹脂を発熱部品に確実に接触させることができる。したがって、発熱部品で発生する熱を高熱伝導樹脂が確実に奪い、発熱部品、高熱伝導樹脂、金属、外気の順で効率よく放熱することができる。
【００５０】
また、樹脂製の板バネを用いることで、基板に実装されたＩＣなどの精密部品に板バネを接触させても、部品に無駄に負荷加重をかけることがない。したがって、部品の破壊などの不具合を避けることができる。
【００５１】
本実施の形態によれば、金属に高熱伝導樹脂を一体成形した筐体を用いることで、金属と高熱伝導樹脂と接触面積を確実に接触させ、接触面積を確保することができる、したがって、高熱伝導樹脂と金属との間の伝熱のロスをなくし、放熱効率をよくすることができる。
【００５２】
また、本実施の形態によれば、金属と樹脂の特長を生かした形状で外装枠を形成することができる。
【００５３】
また、本実施の形態によれば、樹脂製の板バネなどの可変部位を発熱部品に接触されることで、可変部位が放熱機能の役割を果たすことができる。
【００５４】
なお、本実施の形態では、金属筐体１１に高熱伝導樹脂製のインナー１２が一体成形された前ケース１０を例に説明したが、金属に高熱伝導樹脂が一体成形されるのは前ケースに限らず、後ケースでもいいし、前ケース、後ケースの両方でもよい。
【００５５】
また、本実施の形態では、板バネと発熱部品とを直接接触させたが、板バネと発熱部品との接触面積を増やすために、板バネと発熱部品との間に導電性シートやゲル状の導電性部材を介しても良い。
【００５６】
また、本実施の形態では、金属筐体１１の内面を覆うようにインナー１２を一体成形し、高熱伝導樹脂が表面（外観面）に露出しなかったが、高熱伝導樹脂が表面に露出するようにしてもよい。図４は、高熱伝導樹脂のインナー１２’が金属筐体１１’と共に表面に露出した前ケース１０’の正面斜視図であり、図５は、前ケース１０’基板２２を取り付けた状態を示す断面図である。
【００５７】
インナー１２’は、前面側が一部凸形状となるように厚肉に形成される。この凸形状は、金属筐体１１’に隣接し、前面側の外観範囲内で表面に露出するように形成され、把持部として使用される。
【００５８】
基板２２を前ケース１０’に取り付けると、板バネ１２ｃ’がＩＣ２２ａと接触する。板バネ１２ｃ’がたわむことにより発生する付勢力でもって板バネ１２ｃ’がＩＣ２２ａに接触する。その結果、ＩＣ２２ａで発生した熱が板バネ１２ｃに伝わり、板バネ１２ｃに伝わった熱がインナー１２の内部を伝わって金属筐体１１に伝わり、金属筐体１１の表面から空気中に放熱されると共に、板バネ１２ｃに伝わった熱がインナー１２の表面から空気中に放熱される（図５矢印参照）。これにより、高熱伝導樹脂から輻射により直接外気に放熱可能となる。
【００５９】
また、本実施の形態では、板バネ１２ｃを介してＩＣ２２ａで発生した熱を前ケース１０に放熱させたが、板バネ１２ｃの代わりとしてＩＣ２２ａとインナー１２との間に伝熱性クッションをはさみ、ＩＣ２２ａで発生した熱をインナー１２に放熱してもよい。
【００６０】
＜第２の実施の形態＞
第１の実施の形態では、金属筐体１１に高熱伝導樹脂製のインナー１２が一体成形された前ケース１０を用いた例を示したが、金属筐体１１に高熱伝導樹脂製のインナー１２が一体成形された筐体は、前ケース、後ケースに分離した外装枠に限定されない。
【００６１】
第２の実施の形態は、押出し成形により筒状に形成された金属筐体に高熱伝導樹脂を一体成形したものである。図６は、第２の実施の形態のカメラ２の要部分解斜視図であり、図７は、筐体３０の上面図であり、図８は、図７のＡ−Ａ断面図である。なお、第１の実施の形態と同一の部分については、同一の符号を付し、説明を省略する。
【００６２】
カメラ２は、主として、筐体３０と、内部ユニット４０と、底面部材５０とで構成される。
【００６３】
筐体３０は、中空金属筐体３１と、インナー３２とで構成される。
【００６４】
中空金属筐体３１は、アルミニウム合金を用いて押出し形成により形成された筒状の中空の部材であり、一定の肉厚で形成される。中空金属筐体３１の断面形状は、前面に把持部となる凸形状を有する略矩形形状である。押出し成形とは、材料に圧力をかけてダイス穴から押出すことにより、所定の断面形状を持つ成形品を成形するものであり、成形後の材料を所定の長さで切断することで部品が形成される。そのため、筐体３０の両端には開口部が形成される。なお、中空金属筐体３１に用いるアルミニウム合金としては、押出性及び熱伝導性に優れ、耐食性、表面処理性も良好なＡｌ−Ｍｇ−Ｓｉ系のＡ６０６３、Ａｌ−Ｍｎ系のＡ３００３、Ａ３００４などを使用することができる。
【００６５】
中空金属筐体３１の前面には、後加工によりレンズ用の孔３１ａと、フラッシュ用の孔３１ｂが形成される。また、中空金属筐体３１の背面には、後加工によりモニタ用の孔３１ｃが形成される。
【００６６】
インナー３２は、インサート成形等により中空金属筐体３１の内側に高熱伝導樹脂を一体成形することにより形成される。インナー３２は、図８、図９に示すように、主として、本体部３２ａと、板バネ３２ｂ、３２ｃと、リブ３２ｄとで構成される。射出成形を用いることで、本体部３２ａ、板バネ３２ｂ、３２ｃ、リブ３２ｄは一度に成形される。
【００６７】
本体部３２ａは、中空金属筐体３１の内面を覆うように、かつ孔３１ａ、３１ｂ、３１ｃを避けるようにして所定の厚さで形成される。
【００６８】
板バネ３２ｂは、本体部３２ａに一端が固定された板状の部材であり、中空金属筐体３１及び本体部３２ａの前面側の壁と垂直に設けられる。板バネ３２ｂは、片持ちの板バネであり、押し出し方向、すなわち中空金属筐体３１及び本体部３２ａの前面側の壁と略平行方向に先端が移動するように弾性変形が可能である。
【００６９】
板バネ３２ｃは、本体部３２ａに一端が固定された略Ｌ字状の部材であり、略Ｌ字状の先端側が片持ちの板バネとして作用する。板バネ３２ｃは、板バネとして作用する先端側が中空金属筐体３１及び本体部３２ａの前面側の壁と水平になるように設けられ、押し出し方向と垂直方向、すなわち中空金属筐体３１及び本体部３２ａの前面側の壁と略垂直方向に先端が移動するように弾性変形が可能である。
【００７０】
リブ３２ｄは、押出し方向、すなわち中空金属筐体３１の長手方向（インナー３２の型開き方向と同じ）に沿って複数本形成される。リブ３２ｄの長さは中空金属筐体３１の長さと略同一である。
【００７１】
このように、押出し成形により形成された中空金属筐体３１の内側に樹脂性のインナー３２を一体成形することにより、押出し成形による寸法のバラツキを抑え、歩留まりを良くすることができる。
【００７２】
内部ユニット４０は、主として、金属筐体板金４１と、蓋４２と、基板４３と、レンズユニット４４と、フラッシュ４５と、図示しないモニタ（例えば、液晶パネル）とで構成される。金属筐体板金４１の内部に、基板４３、レンズユニット４４、フラッシュ４５、モニタ（図示せず）等の各種部品を組み込み、金属筐体板金４１の上面に蓋４２を取り付けることで、内部に組み立てられる各種部品を一体のユニットとしている。
【００７３】
金属筐体板金４１は、プレス加工により金属の板材を折り曲げることで略コの字状に形成される。金属筐体板金４１の前面には孔４１ａが形成され、基板４３に実装されたＩＣ４３ａが孔４１ａから露出される。
【００７４】
底面部材５０は、中空金属筐体３１の断面形状と略同一形状の板状の部材であり、ネジ等により内部ユニット４０に固定される。また、底面部材５０には、ネジ孔（図示せず）が形成される。
【００７５】
次に、上記のように形成されたカメラ２の組み立てについて説明する。
【００７６】
まず、蓋４２、基板４３、レンズユニット４４、モニタ（図示せず）などの各種部品を金属筐体板金４１の内部に組み込むことにより一体化し、内部ユニット４０を完成させる。
【００７７】
そして、筐体３０の上端面から筐体３０の内部にスライドさせるようにして内部ユニット４０を挿入する。この時、リブ３２ｄの上を滑らせるようにして内部ユニット４０を挿入されるため、挿入時の抵抗を小さくし、組立性をよくすることができる。同様に、内部ユニットを取り出すときの抵抗も小さいため、分解性もよい。
【００７８】
内部ユニット４０を所定の位置まで挿入した後で、底面部材５０を金属筐体板金４１に固定して筐体３０の底面側の開口部を覆うことにより、カメラ２が組み立てられる。これにより、内部ユニット４０が筐体３０の縦方向、すなわち筐体３０の押出し方向に位置決めされるとともに、内部ユニット４０が筐体３０にフローティング構造で取り付けられる。これにより、衝撃に強くすることができる。
【００７９】
このように形成された筐体３０の作用を説明する。図９、図１０はカメラ２の組立時の断面図である。
【００８０】
図９に示すように、筐体３０に内部ユニット４０を取り付けると、レンズユニット２１の撮像素子保持板金２１ｂが板バネ３２ｂと接触する。板バネ３２ｂは可変部位であり、板バネ３２ｂがたわむことにより発生する付勢力でもって板バネ３２ｂが撮像素子保持板金２１ｂに接触する。その結果、撮像素子２１ａで発生した熱が撮像素子保持板金２１ｂを介して板バネ３２ｂに伝わり、その熱がインナー３２の内部を伝わって中空金属筐体３１に伝わり、中空金属筐体３１の表面から空気中に放熱される（図９矢印参照）。
【００８１】
筐体３０に内部ユニット４０を取り付けると、図１０に示すように、板バネ３２ｃがＩＣ２２ａと接触する。板バネ３２ｃは可変部位であり、板バネ３２ｃがたわむことにより発生する付勢力でもって板バネ３２ｃがＩＣ２２ａに接触する。その結果、ＩＣ２２ａで発生した熱が板バネ３２ｃに伝わり、その熱がインナー３２の内部を伝わって中空金属筐体３１に伝わり、中空金属筐体３１の表面から空気中に放熱される（図１０矢印参照）。
【００８２】
このように、可変部位である板バネを用いることで、高熱伝導樹脂を発熱部品に確実に接触させることができる。したがって、発熱部品で発生する熱を高熱伝導樹脂が確実に奪い、発熱部品、高熱伝導樹脂、金属、外気の順で効率よく放熱することができる。
【００８３】
また、樹脂製の板バネを用いることで、基板に実装されたＩＣなどの精密部品に板バネを接触させても、部品に無駄に負荷加重をかけることがない。したがって、部品の破壊などの不具合を避けることができる。
【００８４】
本実施の形態によれば、簡易な放熱構造と、良好な組立て性を両立させたカメラを提供することができる。
【００８５】
なお、本実施の形態では、熱伝導性がよく、押し出し材としても適したアルミニウム合金を用いて押出し成形を行ったが、アルミニウムに限らず、例えば、マグネシウム合金、銅合金などの押出し成形が可能な様々な材料を用いることができる。また、放熱効率は落ちるが、筐体に高熱伝導樹脂を用いることもできる。この場合には、押出し成形以外に射出成形などの他の成形方法を用いてもよい。
【００８６】
また、本実施の形態では、筐体の断面形状が略矩形形状の場合を例に説明したが、略矩形形状に限らず、様々な形状を用いることができる。
【００８７】
また、本実施の形態では、筐体の上下方向の押出し成形により筐体を形成したが、筐体の左右方向の押出し成形により筐体を形成してもよい。
【００８８】
なお、本発明は、デジタルカメラ筐体のみでなく、携帯電話、ＰＤＡ、音楽プレーヤーなどの様々な電子機器に適用することができる。
【図面の簡単な説明】
【００８９】
【図１】本発明の第１の実施の形態に係るカメラ１の要部分解斜視図である。
【図２】カメラ１の要部断面図である。
【図３】カメラ１の要部断面図である。
【図４】カメラ１の変形例である。
【図５】カメラ１の変形例である。
【図６】本発明の第２の実施の形態に係るカメラ２の要部分解斜視図である。
【図７】カメラ２の筐体３０上面図である。
【図８】カメラ２の筐体３０断面図である。
【図９】カメラ２の要部断面図である。
【図１０】カメラ２の要部断面図である。
【図１１】従来例の要部断面図である。
【符号の説明】
【００９０】
１、２：カメラ、１０：前ケース、１１：金属筐体、１２：インナー、２１：レンズユニット、２２：基板、３０：筐体、３１：中空金属筐体、３２：インナー、４０：内部ユニット、５０：底面部材
【図１】
2010141133.tif 000003
【図２】
2010141133.tif 000004
【図３】
2010141133.tif 000005
【図４】
2010141133.tif 000006
【図５】
2010141133.tif 000007
【図６】
2010141133.tif 000008
【図７】
2010141133.tif 000009
【図８】
2010141133.tif 000010
【図９】
2010141133.tif 000011
【図１０】
2010141133.tif 000012
【図１１】
2010141133.tif 000013